(57)【要約】【課題】撮像装置が、把持状態を自動的に判別し、判別された把持状態に応じて、不快感を感じる温度に達しないような制御や、外装温度が人体に有害となる温度まで上昇しない制御を実行可能な撮像装置を提供すること。【解決手段】撮像装置の把持状態を判別し、把持状態で異なる外装温度の閾値を設け、それぞれの閾値の外装温度に達すると、消費電力低減処理を行う構成とした。よって、撮像装置を把持状態において、外装が不快温度に達すると、消費電力低減処理を行うので、外装が不快温度まで上昇することを防止することが可能となる。また、外装が人体に有害な温度の手前の警戒温度に達すると、消費電力低減処理を行うので、外装が人体に有害な温度まで上昇することを防止することが可能となる。つまり、撮像装置を把持しない状態で使用する場合、不快感を感じる外装温度になったとしても、ユーザーにとって実使用として問題は発生しないため、外装が人体に有害な温度の手前の警戒温度に達するまで、消費電力低減処理なしに撮像装置を使用することが可能となる。【選択図】図４
2016082274.tif 000002
【特許請求の範囲】
【請求項１】
動作に伴い発熱する撮像装置において、前記撮像装置の外装温度を判別する外装温度判別手段と、前記撮像装置の把持状態を判別する把持状態判別手段と、前記把持状態判別手段により判別された把持状態に応じて外装温度上昇の閾値を設定する閾値設定手段と、前記外装温度判別手段により判別された外装温度が、前記閾値設定手段により設定され外装温度上昇の閾値に達すると、外装温度が緩和されるように前記撮像装置の消費電力を制御する消費電力制御手段と、を備えたことを特徴とする撮像装置。
【請求項２】
前記外装温度判別手段は、シャッターの幕速補正用温度センサーであることを特徴とする請求項１に記載の撮像装置。
【請求項３】
前記外装温度判別手段は、撮像素子の補正用温度センサーであることを特徴とする請求項１に記載の撮像装置。
【請求項４】
前記把持状態判別手段は、撮像装置の把持部に設けられた感圧センサーであることを特徴とする請求項１乃至請求項３の何れか一項に記載の撮像装置。
【請求項５】
前記把持状態判別手段は、撮像装置の把持部に設けられた光学式近接センサーであることを特徴とする請求項１乃至請求項３の何れか一項に何れか記載の撮像装置。
【請求項６】
前記把持状態判別手段は、撮像装置の把持部に設けられた静電容量式近接センサーであることを特徴とする請求項１乃至請求項３の何れか一項に記載の撮像装置。
【請求項７】
さらに三脚着脱検出手段を設け、前記把持状態判別手段による判別は、前記三脚着脱検出手段による三脚着脱により判別することを特徴とする請求項１乃至請求項３の何れか一項に記載の撮像装置。
【請求項８】
前記把持状態判別手段による判別は、リモコンによる前記撮像装置の動作指示の有無により判別すること特徴とする請求項１乃至請求項３の何れか一項に記載の撮像装置。
【請求項９】
前記把持状態判別手段による判別は、前記撮像装置に設けられた操作部の所定時間の動作指示の有無により判別することを特徴とする請求項１乃至請求項３の何れか一項に記載の撮像装置。
【請求項１０】
前記把持状態判別手段による判別は、撮影画像の手振れ量より判別することを特徴とする請求項１乃至請求項３の何れか一項に記載の撮像装置。
【請求項１１】
前記消費電力制御手段による制御は、前記撮像装置に設けられた表示部の輝度を変更する制御であることを特徴とする請求項１乃至請求項１０の何れか一項に記載の撮像装置。
【請求項１２】
前記消費電力制御手段による制御は、撮像フレームレートを変更する制御であることを特徴とする請求項１乃至請求項１０の何れか一項に記載の撮像装置。
【請求項１３】
前記消費電力制御手段による制御は、撮像解像度を変更する制御であることを特徴とする請求項１乃至請求項１０の何れか一項に記載の撮像装置。
【請求項１４】
前記閾値設定手段による把持状態に応じた外装温度上昇の閾値の設定は、把持状態ではユーザーが不快に感じる不快温度であり、把持していない状態では人体に有害な温度の手前の警戒温度であることを特徴とする請求項１乃至請求項１３の何れか一項に記載の撮像装置。
【発明の詳細な説明】
【技術分野】
【０００１】
本発明は、電源オン状態にあるときに動作を伴って発熱する撮像装置の制御方法に関する。
【背景技術】
【０００２】
従来より、デジタルカメラには、ＣＣＤやＣＭＯＳ等の撮像素子や、撮像素子を駆動させる駆動回路、撮像した画像処理や保存等の様々な処理をするためにＣＰＵ等の電子部品が搭載されている。また近年、携帯性を考慮し、デジタルカメラは年々小型化し、薄くなる傾向にある。さらに、ＣＣＤやＣＭＯＳ等の撮像素子の高画素化や高画質化など、高機能化によりＣＰＵも処理性能の高いものが搭載されるようになり、それに伴い消費電力は上昇傾向にある。よって、デジタルカメラの単位体積当たりの消費電力は増える傾向にある。
【０００３】
これらの電子部品は、デジタルカメラが電源オン状態にあるときには動作に伴って発熱する。これにより、デジタルカメラ内部の温度が時間とともに上昇し、デジタルカメラを構成する外装表面の温度もそれに伴って上昇する。外装温度がある温度に達すると、ユーザーがデジタルカメラを把持した時に不快感を覚えたり、故障ではないかといった不安感を覚えることになる。
【０００４】
この問題に対する解決方法として、デジタルカメラの外装表面に、外装の温度に応じて可逆変色する可逆感温変色層を備え、外装が高温となったことをユーザーに知らせ、ユーザーに注意を促すようにしたものが提案されている（特許文献１参照）。
【先行技術文献】
【特許文献】
【０００５】
【特許文献１】特開２００７−４９３７０号公報
【発明の概要】
【発明が解決しようとする課題】
【０００６】
しかしながら、上記の特許文献１では、デジタルカメラの外装温度がある設定温度に達した場合に、可逆感温変色層の変色によりユーザーに注意を促すが、ユーザーの目視にのみ依存しているといった問題がある。すなわち、ユーザーが可逆感温変色層の変色を見逃してしまうと、不快感を覚えたまま把持して使い続けてしまうことになってしまう。また、不快感を感じる外装温度でも、三脚等を使用して撮影するような、デジタルカメラ本体を把持しない状態で使用する場合、不快感を感じる外装温度になったとしても、ユーザーにとって実使用として問題は発生しない。
【０００７】
デジタルカメラ本体が、把持状態を自動的に判別し、判別された把持状態に応じて、不快感を感じる温度に達しないような制御や、外装温度が人体に有害となる温度まで上昇しない制御を実行できれば、理想的であると言える。
【０００８】
本発明の目的は、上記問題点を解決するためになされたものであり、撮像装置が、把持状態を自動的に判別し、判別された把持状態に応じて、不快感を感じる温度に達しないような制御や、外装温度が人体に有害となる温度まで上昇しない制御を実行可能な撮像装置を提供することを目的とする。
【課題を解決するための手段】
【０００９】
上記の目的を達成するために、請求項１の撮像装置は、動作に伴い発熱する撮像装置において、前記撮像装置の外装温度を判別する外装温度判別手段と、前記撮像装置の把持状態を判別する把持状態判別手段と、前記把持状態判別手段により判別された把持状態に応じて外装温度上昇の閾値を設定する閾値設定手段と、前記外装温度判別手段により判別された外装温度が、前記閾値設定手段により設定され外装温度上昇の閾値に達すると、外装温度が緩和されるように前記撮像装置の消費電力を制御する消費電力制御手段と、を備えたことを特徴とする。
【００１０】
請求項２の撮像装置は、請求項１に記載の撮像装置において、前記外装温度判別手段は、シャッターの幕速補正用温度センサーであることを特徴とする。
【００１１】
請求項３の撮像装置は、請求項１に記載の撮像装置において、前記外装温度判別手段は、撮像素子の補正用温度センサーであることを特徴とする。
【００１２】
請求項４の撮像装置は、請求項１乃至請求項３の何れか一項に記載の撮像装置において、前記把持状態判別手段は、撮像装置の把持部に設けられた感圧センサーであることを特徴とする。
【００１３】
請求項５の撮像装置は、請求項１から請求項３の何れか一項に記載の撮像装置において、前記把持状態判別手段は、撮像装置の把持部に設けられた光学式近接センサーであることを特徴とする。
【００１４】
請求項６の撮像装置は、請求項１乃至請求項３の何れか一項に記載の撮像装置において、前記把持状態判別手段は、撮像装置の把持部に設けられた静電容量式近接センサーであることを特徴とする。
【００１５】
請求項７の撮像装置は、請求項１乃至請求項３の何れか一項に記載の撮像装置において、さらに三脚着脱検出手段を設け、前記把持状態判別手段による判別は、前記三脚着脱検出手段による三脚着脱により判別することを特徴とする。
【００１６】
請求項８の撮像装置は、請求項１乃至請求項３の何れか一項に記載の撮像装置において、前記把持状態判別手段による判別は、リモコンによる前記撮像装置の動作指示の有無により判別すること特徴とする。
【００１７】
請求項９の撮像装置は、請求項１乃至請求項３の何れか一項に記載の撮像装置において、前記把持状態判別手段による判別は、前記撮像装置に設けられた操作部の所定時間の動作指示の有無により判別することを特徴とする。
【００１８】
請求項１０の撮像装置は、請求項１乃至請求項３の何れか一項に記載の撮像装置において、前記把持状態判別手段による判別は、撮影画像の手振れ量より判別することを特徴とする。
【００１９】
請求項１１の撮像装置は、請求項１乃至請求項１０の何れか一項に記載の撮像装置において、前記消費電力制御手段による制御は、前記撮像装置に設けられた表示部の輝度を変更する制御であることを特徴とする。
【００２０】
請求項１２の撮像装置は、請求項１乃至請求項１０の何れか一項に記載の撮像装置において、前記消費電力制御手段による制御は、撮像フレームレートを変更する制御であることを特徴とする。
【００２１】
請求項１３の撮像装置は、請求項１乃至請求項１０の何れか一項に記載の撮像装置において、前記消費電力制御手段による制御は、撮像解像度を変更する制御であることを特徴とする。
【００２２】
請求項１４の撮像装置は、請求項１乃至請求項１３の何れか一項に記載の撮像装置において、前記閾値設定手段による把持状態に応じた外装温度上昇の閾値の設定は、把持状態ではユーザーが不快に感じる不快温度であり、把持していない状態では人体に有害な温度の手前の警戒温度であることを特徴とする。
【発明の効果】
【００２３】
本発明によれば、撮像装置の把持状態を判別し、把持状態で異なる外装温度の閾値を設け、それぞれの閾値の外装温度に達すると、消費電力低減処理を行う構成とした。よって、撮像装置を把持状態において、外装が不快温度に達すると、消費電力低減処理を行うので、外装が不快温度まで上昇することを防止することが可能となる。
【００２４】
また、外装が人体に有害な温度の手前の警戒温度に達すると、消費電力低減処理を行うので、外装が人体に有害な温度まで上昇することを防止することが可能となる。つまり、撮像装置を把持しない状態で使用する場合、不快感を感じる外装温度になったとしても、ユーザーにとって実使用として問題は発生しないため、外装が人体の有害な温度の手前の警戒温度に達するまで、消費電力低減処理なしに撮像装置を使用することが可能となる。
【図面の簡単な説明】
【００２５】
【図１】本発明の実施形態におけるデジタルカメラの前面方向から見た外観斜視図である。
【図２】本発明の実施形態におけるデジタルカメラの背面方向から見た外観斜視図である。
【図３】本発明の実施形態におけるデジタルカメラのブロック図である。
【図４】外装温度と把持状態に応じたデジタルカメラの動作制御の処理手順を示すフローチャートである。
【図５】消費電力低減処理への移行を表示部に表示する一例の説明図である。
【発明を実施するための形態】
【００２６】
以下に、本発明の好ましい実施形態の撮像装置を、レンズ交換可能なデジタルカメラに適用した場合について、図を参照しながら説明する。
【００２７】
図１は、本発明の実施形態におけるレンズ交換可能なデジタルカメラの前面方向から見た外観斜視図、図２は背面方向から見た外観斜視図である。また、図３は、本発明の実施形態におけるデジタルカメラのブロック図である。
【００２８】
図１から図３に示すように、デジタルカメラ本体１００は、カメラマウント１０１、シャッター１０２、ＣＣＤやＣＭＯＳ等の撮像素子を含む撮像部１０３、カメラ信号処理部１０４、圧縮伸張処理部１０５、表示部１０６、温度センサー１０７、グリップ検知部１０８、記録再生制御部１０９、リモコン受光部１１０、音声信号処理部１１１、マイクロフォン１１２、メモリ１１３、メモリ制御部１１４、不揮発性メモリ１１５、ＣＰＵ１１６、操作部１１７、電源制御部１１８、三脚着脱検知部１１９、を備えている。
【００２９】
また、各機能ブロックはそれぞれデータバス１２０を介して互いにデータ通信可能に接続されている。
【００３０】
このようなデジタルカメラ本体１００において、メモリ１１３は、プログラム記憶領域とデータ作業領域を有し、データバス１２０を介して各機能ブロックでタイム・シェアリングして使用され、メモリ制御部１１４により制御及び管理されている。
【００３１】
カメラマウント１０１は、交換レンズ２００をデジタルカメラ本体１００と機械的に接合する。また、交換レンズ２００は、カメラマウント１０１を介してデジタルカメラ本体１００と電気的にも接続し、交換レンズ２００に内蔵された不図示のＲＯＭから当該レンズに関する固有の情報（Ｆ値や焦点距離等の情報）をデジタルカメラ本体１００に送信したり、交換レンズ２００のフォーカス及びズーム等の光学制御系を含む光学レンズ群及び絞り駆動させる為の電力を得る。
【００３２】
シャッター１０２は、交換レンズ２００を通過した光束の光路上に開口部を持ち、静止画撮影時において、幕の移動によりシャッター１０２の開口部の開閉を行うことで、ＣＣＤやＣＭＯＳ等の撮像素子の露光時間を制御する。また、シャッター１０２は、様々な撮影温度環境下においても、的確に幕速を補正するための幕速補正用温度センサーを備えている。
【００３３】
不揮発性メモリ１１５は、電気的に書き換え可能な電源を切ってもデータが消えないメモリであり、所定枚数の静止画や所定時間の動画を格納するのに十分な容量を備えている。
【００３４】
ＣＰＵ１１６は所定のプログラムを実行すること等により、デジタルカメラ本体１００全体を統括制御する中央演算処理回路である。
【００３５】
操作部１１７は、電源ボタン１１７ａ、モードダイヤル１１７ｂ、レリーズボタン１１７ｃ、動画ボタン１１７ｄ、メニューボタン１１７ｅ、表示切替えボタン１１７ｆ、電子ダイヤル１１７ｇ、セットボタン１１７ｈ、再生ボタン１１７ｉなどから構成され、ユーザーからのキー操作に基づいて、ＣＰＵ１１６に対して動作指示する機能を有する。
【００３６】
電源ボタン１１７ａは、押圧動作などをすることによって、デジタルカメラ本体１００のメイン電源オン、メイン電源オフの状態を切替えることが可能である。モードダイヤル１１７ｂは、回動動作などをすることによって、静止画撮影モード、動画撮影モードなどの種々の撮影動作モードを切り替えることが可能である。
【００３７】
レリーズボタン１１７ｃは、押圧動作などをすることによって、静止画撮影の指示を行うことが可能である。動画ボタン１１７ｄは、押圧動作などをすることによって、動画撮影のスタート／ストップの指示を行うことが可能である。
【００３８】
メニューボタン１１７ｅは、押圧動作などをすることによって、表示部１０６にメニュー画面を表示する指示を行うことが可能である。表示切替えボタン１１７ｆは、押圧動作などをすることによって、表示部１０６に表示される各種情報の表示／非表示を切替える指示を行うことが可能である。
【００３９】
電子ダイヤル１１７ｇは、回動動作などをすることによって、メニューボタン１１７ｅにて表示部１０６にメニュー画面を表示させた際、メニュー内に表示されているカーソルを所望の方向へ移動させる場合において、ユーザーによって回転操作される。
【００４０】
セットボタン１１７ｈは、メニュー内に表示されているカーソルを電子ダイヤル１１７ｇにより所望の方向に移動させた後、押圧動作などをすることによって、確定の指示を行うことが可能である。再生ボタン１１７ｉは、押圧動作をすることによって、再生モードに切替える指示を行うことが可能である。
【００４１】
表示部１０６は、液晶パネル、液晶パネルの背面より光を照射するバックライト、液晶パネルの前面に設けらたタッチパネルより構成される。表示部１０６は、設定されたフレームレートで撮影中の画像（いわゆるライブビュー画像）やメニュー画面の他、電池残量、現在日時、撮影可能枚数等の各種情報を表示を行う。また、ユーザーのタッチパネルへのタッチ操作により、デジタルカメラ本体１００への各種動作指示が可能である。
【００４２】
記録媒体３００は、ＳＤカードやコンパクトフラッシュ（登録商標）等の脱着式のメモリーカード等であり、撮影した画像等が記録される。
【００４３】
電源制御部１１８は、ＤＣ−ＤＣコンバータ、通電するブロックを切替えるスイッチ回路等により構成されており、バッテリ残量の検出も行う。バッテリ４００は、リチウムイオン電池等であり、デジタルカメラ本体１００に電源を供給する。
【００４４】
リモコン５００は、ユーザー自らが被写体になる場合等、デジタルカメラ本体１００から離れた位置よりデジタルカメラ本体１００に動作指示するためにユーザーが使用する。リモコン５００には、デジタルカメラ本体１００への所定動作指示に対応した操作ボタンと赤外線光など所定波長を発振する発光素子が設けられている。リモコン５００の所定動作指示の操作ボタンが押圧動作されると、発光素子が発振し、赤外線光が外部に送信される。この赤外線光がデジタルカメラ本体１００に設けられたリモコン受光部１１０に入射されると、デジタルカメラ本体１００は、この赤外線光に応じた所定の動作を行う。リモコン５００を用いてユーザーが行う遠隔操作としては、例えば、レリーズボタン１１７ｃの押圧操作に代わる静止画撮影操作や、動画ボタン１１７ｄの押圧操作に代わる動画撮影操作等がある。
【００４５】
温度センサー１０７は、デジタルカメラ本体１００内部の外装近傍に設けられ、外装温度を所定の間隔で検出する。グリップ検出部１０８は、圧力を感じることで検出する感圧センサー、光の変化で検知する光学式近接センサー、指が触れることによる静電容量変化で検出する静電容量式近接センサー等で構成され、デジタルカメラ本体１００が把持されているか否かを所定の間隔で検出する。三脚着脱検出部１１９は、メカニカルな検知スイッチ等により構成され、デジタルカメラ本体１００に三脚が着脱されたか否かを検出する。
【００４６】
次に、本発明の実施形態におけるデジタルカメラ本体１００の撮影動作及び再生動作について説明する。
【００４７】
まず、電源ボタン１１７ａの押圧動作により、デジタルカメラ本体１００のメイン電源オンされると、被写体からの光は、交換レンズ２００により所定の明るさ、画角、及びフォーカス等が制御された光学信号となって撮像部１０３に対して入力される。
【００４８】
撮像部１０３は、設定されたライブビューフレームレートで、入力光学信号を電気信号に変換し、カメラ信号処理部１０４に出力する。カメラ信号処理部１０４は、この電気信号をデジタル画像信号に変換する。また、カメラ信号処理部１０４においては、必要に応じて、撮像したデジタル画像信号を用いて所定の演算処理を行う。そして、得られた演算結果に基づいて、ＡＦ（オートフォーカス）制御や静止画撮影時のメカニカルシャッター速度、動画撮影時の電子シャッター速度、撮像絞り、撮像感度等を設定する。また、カメラ信号処理部１０４は、色分離、階調補正、及びホワイトバランス調整などの信号処理も施す。
【００４９】
表示部１０６は、設定されたライブビューフレームレートでカメラ信号処理部１０４からの画像信号を逐次表示する。また、表示部１０６は、必要に応じてデジタルカメラ本体１００の動作状況をオンスクリーン・ディスプレイ情報として表示する。
【００５０】
レリーズボタン１１７ｃの押圧動作により、静止画撮影が指示されると、シャッター１０２は、カメラ信号処理部１０４にて設定された静止画撮影時のメカニカルシャッター速度に応じて、幕の移動によりシャッター１０２の開口部の開閉を行うことで、撮像部１０３の露光時間を制御する。撮像部１０３は、この露光時間に応じた入力光学信号を電気信号に変換し、カメラ信号処理部１０４に出力する。
【００５１】
一方、動画ボタン１１７ｄの押圧動作により、動画撮影が指示されると、撮像部１０３は、カメラ信号処理部にて設定された動画撮影時の電子シャッター速度に応じて露光制御を行うと共に、設定された動画記録フレームレートで、入力光学信号を電気信号に変換し、カメラ信号処理部１０４に出力する。なお、動画記録フレームレートは、ユーザーが必要に応じて、メニューより設定可能である。また、音声信号処理部１１１は、マイクロフォン１１２より入力された音声信号を所定レベルにゲインコントロールしてデジタル化することで、音声データとして出力する。
【００５２】
圧縮伸張処理部１０５は、カメラ信号処理部１０４から出力された画像データ及び音声信号処理部１１１から出力された音声データを所定の圧縮符号化方式により圧縮符号化する。記録再生制御部１０９は、圧縮伸張処理部１０５で得られた圧縮符号化後のデータを、メモリーカードなどの記録媒体３００に記録するとともに、記録媒体３００の残量検出を行う。
【００５３】
一方、再生ボタン１１７ｉの押圧動作により、再生動作が指示された場合、記録再生制御部１０９は、記録媒体３００からデータを読み出す。圧縮伸張処理部１０５は、記録再生制御部１０９より出力されたデータに対して、所定の圧縮符号化方式に対応した伸張処理を施し、圧縮符号化前の画像データ及び音声データを取得する。表示部１０６は、圧縮伸張処理部１０５で得られた画像データを表示する。
【００５４】
次に、本発明の実施形態の特徴とする外装温度と把持状態に応じたデジタルカメラの動作制御について、図を参照しながら説明する。図４は、外装温度と把持状態に応じたデジタルカメラの動作制御の処理手順を示すフローチャートである。
【００５５】
まず、ステップＳ１０１にて、デジタルカメラが把持されているか否かを判別する。ここで、デジタルカメラ本体１００が把持されていると判別された場合、ステップＳ１０２に進む。
【００５６】
デジタルカメラカメラ本体１００が把持されているか否かの判別手段としては、例えば、グリップ検出部１０８にて、デジタルカメラ本体１００が把持されているか否かを判別する。また、三脚着脱検出部１１９による、デジタルカメラ本体１００への三脚着脱による判別で、デジタルカメラ本体１００が把持されているか否かを判別してもよい。すなわち、三脚装着時には、デジタルカメラ本体１００が把持されていないと判別する。
【００５７】
また、撮影画像のフレーム間の相関関係から手振れ量を検出し、手振れ量がある閾値以下の場合、三脚装着とみなし、デジタルカメラ本体１００が把持されていないと判別としてもよい。さらに、リモコン５００によるデジタルカメラ本体１００への動作指示があった場合、ユーザーがデジタルカメラ本体１００から離れた位置にいることが考えられる。よって、リモコン５００によるデジタルカメラ本体１００への動作指示があった場合、デジタルカメラ本体１００が把持されていないと判別してもよい。また、所定時間の間、操作部１１７の操作や表示部１０６のタッチパネルへのタッチ操作がない場合、デジタルカメラ本体１００が把持されていない可能性が高い。このような場合においても、デジタルカメラ本体１００が把持されていないと判別してもよい。
【００５８】
ステップＳ１０２では、温度センサー１０７にて、所定の間隔にて検出されてデジタルカメラ本体１００の外装温度が、不快温度に達したか否かを判別する。ここで、不快温度とは、例えば、体温より高い４０℃であり、ユーザーがデジタルカメラを把持した時に不快感を覚えたり、故障ではないかといった不安感を覚える温度である。ステップＳ１０２にて、デジタルカメラ本体１００の外装温度が、不快温度に達していなければ、ステップＳ１０１に戻り、不快温度に達していれば、ステップＳ１０４に進む。
【００５９】
一方ステップＳ１０１にて、デジタルカメラ本体１００が把持されていないと判別された場合、ステップＳ１０３に進む。
【００６０】
ステップＳ１０３では、温度センサー１０７にて、所定の間隔にて検出されてデジタルカメラ本体１００の外装温度が、警戒温度に達したか否かを判別する。ここで、警戒温度とは、４６℃の手前の温度４４℃である。
【００６１】
ステップＳ１０３にて、デジタルカメラ本体１００の外装温度が、警戒温度に達していなければ、ステップＳ１０１に戻り、警戒温度に達したと判別された場合、ステップＳ１０４に進む。
【００６２】
ステップＳ１０４では、図５に示すように表示部１０６に、消費電力低減処理への移行する旨を表示部１０６に表示し、ステップＳ１０５に進む。
【００６３】
ステップＳ１０５では、消費電力低減処理を行い、本処理を終了する。ここで、消費電力低減処理とは、例えば、表示部１０６のバックライトの輝度を低下することで消費電力を低減する。また、ライブビューフレームレートや、動画記録フレームレートを低下することで消費電力を低減してもよい。また、ライブビューや動画記録の解像度を低下することで消費電力を低減してもよい。
【００６４】
本発明の実施形態では、外装温度の検出手段として、デジタルカメラ本体１００内部の外装近傍に設けらた温度センサー１０９を用いる構成としたが、シャッター１０２の幕速補正用温度センサーより、外装温度を予測するような構成や撮像部１０３の補正用温度センサーを用いる構成としてもよい。
【００６５】
以上説明したように、本発明の実施形態では、デジタルカメラ本体１００の把持状態を自動的に判別し、把持状態で異なる外装温度の閾値を設け、それぞれの閾値の外装温度に達すると、消費電力低減処理を行う構成とした。
【００６６】
よって、ユーザーがデジタルカメラ本体１００を把持状態において、外装が不快温度に達すると、消費電力低減処理を自動的に行うので、外装が不快温度まで上昇することを防止することが可能となる。
【００６７】
また、三脚等を使用して撮影するような、デジタルカメラ本体を把持しない状態で使用する場合、外装が人体に有害な温度の手前の警戒温度に達すると、消費電力低減処理を自動的に行うので、外装が人体に有害な温度まで上昇することを防止することが可能となる。つまり、デジタルカメラ本体を把持しない状態で使用する場合、不快感を感じる外装温度になったとしても、ユーザーにとって実使用として問題は発生しないため、外装が人体に有害な温度の手前の警戒温度に達するまで、消費電力低減処理なしにデジタルカメラを使用することが可能となる。
【符号の説明】
【００６８】
１００  デジタルカメラ本体、１０６  表示部、１０７  温度センサー、
１０８  グリップ検知部、１０９  リモコン受光部、１１７  操作部、
１１９  三脚着脱検知部、２００  交換レンズ
【図１】
2016082274.tif 000003
【図２】
2016082274.tif 000004
【図３】
2016082274.tif 000005
【図４】
2016082274.tif 000006
【図５】
2016082274.tif 000007